(57)【要約】【解決手段】注射器（１）は、注入される物質を収容するバレル（２）と、針（１０）を保持する針保持具（１２）と、針（１０）から注入される物質を射出するためにバレル２内で移動可能であるように構成されたプランジャ（３）とを備える。プランジャ（３）は、第１の部分（３ａ）、第２の部分（３ｂ）、及び第１の部分（３ａ）と第２の部分（３ｂ）との間に弾性部材（６）を有し、第１の部分（３ａ）及び第２の部分（３ｂ）は、弾性部材（６）を圧縮状態に保持するように解除可能に互いに係止するように構成されている。使用の際、プランジャ（３）の第１の部分（３ａ）及び針保持具（１２）は、物質の射出の後、互いと係合するように構成され、プランジャ（３）の第２の部分（３ｂ）は、係合の後、第１の部分（３ａ）から係止解除されるように構成され、針保持具（１２）をバレル（２）内に進ませるように弾性部材（６）を拡張させる。【選択図】図１
2008513069.tif 000002
【特許請求の範囲】
【請求項１】
注入される物質を収容するバレルと、
針を保持する針保持具と、
該針から該注入される物質を射出するために該バレル内で移動可能であるように構成されたプランジャと、を備え、
該プランジャは、第１の部分、第２の部分、及び該第１の部分と該第２の部分との間に弾性部材を有し、該第１及び該第２の部分は、該弾性部材を圧縮状態に保持するように解除可能に互いに係止するように構成され、
使用の際、該プランジャの該第１の部分及び該針保持具は、該物質の射出の後、互いに係合するように構成され、
該プランジャの該第２の部分は、該係合の後、該第１の部分から係止解除されるように構成され、該針保持具を該バレル内に進ませるように該弾性部材を拡張させることを特徴とする注射器。
【請求項２】
該プランジャの該第１の部分は、係合手段により該針保持具と係合するように構成されていることを特徴とする請求項１に記載の注射器。
【請求項３】
該係合手段は、該針保持具の弾性突起と該プランジャの該第１の部分の受け入れ部とから成ることを特徴とする請求項２に記載の注射器。
【請求項４】
該針保持具の該弾性突起は、該注射器の該バレルに取付可能な針基内に全体が位置することを特徴とする請求項３に記載の注射器。
【請求項５】
該係合手段は、該針保持具のソケットと該プランジャの該第１の部分の対応するボールとを備えることを特徴とする請求項２に記載の注射器。
【請求項６】
該プランジャの該第１及び該第２の部分は係止手段により解除可能に互いに係止するよう構成されていることを特徴とする請求項１ないし５のいずれか一項に記載の注射器。
【請求項７】
該係止手段は、該プランジャの該第２の部分に突起を有し、該突起は、該第１の部分の対応する凹部と係合するように構成されていることを特徴とする請求項６に記載の注射器。
【請求項８】
該プランジャの該第１の部分は、該プランジャの該第２の部分内に配置されるように構成されていることを特徴とする請求項１から７のいずれか一項に記載の注射器。
【請求項９】
該弾性部材はばねであることを特徴とする請求項１から８のいずれか一項に記載の注射器。
【請求項１０】
該プランジャは、該針保持具の後退後は該バレル内で移動不能に収容されるように構成されていることを特徴とする請求項１から９のいずれか一項に記載の注射器。
【請求項１１】
該針保持具は、該物質の射出前に該注射器から取り外されるように構成されていることを特徴とする請求項１から１０のいずれか一項に記載の注射器。
【請求項１２】
該物質の射出中に該注射器内での該針保持具の軸方向の移動を防止する保持手段が設けられることを特徴とする請求項１から１１のいずれか一項に記載の注射器。
【請求項１３】
該保持手段は、該物質を射出するように位置付けされると該針保持具を把持するように構成された弾性留め部であることを特徴とする請求項１２に記載の注射器。
【請求項１４】
注入される物質を収容すると共に、針を保持する針保持具を収容するバレルと、
該針から該注入される物質を射出するために該バレル内で移動可能であるように構成されたプランジャと、を備え、
該プランジャは、第１の部分、第２の部分、及び該第１の部分と該第２の部分との間に弾性部材を有し、該第１の部分及び該第２の部分は、該弾性部材を圧縮状態に保持するように解除可能に互いに係止するように構成され、
使用の際、該プランジャの該第１の部分は、該物質の射出の後、該針保持具と係合するように構成され、
該プランジャの該第２の部分は、該係合の後、該第１の部分から係止解除されるように構成され、該針保持具を該バレル内に進ませるように該弾性部材を拡張させることを特徴とする注射器。
【請求項１５】
実質的に、添付図面に示す実施形態のいずれか１つを参照して明細書に説明されるような注射器。
【請求項１６】
注射器から物質を射出するために該注射器内で移動可能であるように構成された注射器用のプランジャであって、
第１の部分、第２の部分、及び該第１の部分と該第２の部分との間に弾性部材を備え、該第１及び該第２の部分は、該弾性部材を圧縮状態に保持するように解除可能に互いに係止するように構成され、
該注射器からの該物質の射出の後、該注射器の針保持具と係合するように構成され、
該プランジャの該第２の部分は、該係合の後、該第１の部分から係止解除されるように構成され、該針保持具を該注射器のバレル内に進ませるように該弾性部材を拡張させることを特徴とするプランジャ。
【請求項１７】
実質的に、添付の図面に示す実施形態のいずれか１つを参照して明細書に説明されるようなプランジャ。
【請求項１８】
使用後に、針が取付られた注射器のバレル内に針を後退させる方法であって、
プランジャの２つの部分間の弾性部材を圧縮すると共に圧縮を保持するように該２つの部分を互いに係止し、
該注射器の該針を保持する針保持具に該プランジャの一方の部分を取付け、及び、
該圧縮された弾性部材を解放し、該解放により、該プランジャの該第１の部分と装着された該針保持具とが該バレル内に後退するように、該プランジャの該２つの部分を係止解除すること特徴とする方法。
【請求項１９】
実質的に、添付の図面内に示される実施形態のいずれか１つを参照して明細書に説明されるような、注射器のバレル内に針を後退させる方法。
【発明の詳細な説明】
【技術分野】
【０００１】
［発明の分野］
本発明は、注射器、特に安全注射器に関する。
【背景技術】
【０００２】
［背景］
安全注射器は、針先による怪我、すなわち、患者に注入するのに使用された針による突き刺しに起因する、医療従事者及び他の者に対する怪我を防止するためにヘルスケアにおいて用いられる。多くの場合、針先による怪我は軽傷にすぎないが、関与している針が例えばＡＩＤＳウイルスで汚染されている場合、その怪我は深刻な意味を持つものとなるであろう。
【０００３】
医療分野における針の使用に関するさらなる懸念は再使用である。疾患の拡がりを防止するために、針の共有をなくすようにすべきである。
【０００４】
針先による怪我及び針の再使用を防止する一方法は、針を使用後は使用不可能にすることを確実にすることである。
【０００５】
注射器の針の再使用を防止する安全注射器の一例は、欧州特許第０６３６３８１号（ＥＰ０６３６３８１Ｂ）に開示されている。この注射器は、物質の射出後、注射器から物質を射出するのに使用されるプランジャと、針を保持する針基との係合を行う。プランジャを針基と係合させ、プランジャを注射器内に手動で後退させると、プランジャと共に針基及び当該針基に装着された針を引き込むことができる。注射器からのプランジャの移動を防止するストッパが注射器内に位置することで、針基及び針が注射器の本体内にあるままとなり、そのため怪我が回避される。
【０００６】
欧州特許第０６３６３８１号に開示されている注射器の１つの欠点は、医療従事者がプランジャ及び装着されている針基を注射器内に後退させる必要があることであり、このことは、人為的誤りにより、例えば後退ステップを完了することを医療従事者が忘れることにより針基が必ずしも後退していないことを意味する。このため、注射器内への針基の自動後退が望ましい。
【０００７】
注射器のための自動後退システムは、米国特許第６，５７２，５８４号に開示されている。このシステムは針基の領域内に予荷重された圧縮ばねを組み込んでいる。注射器によって保持されている物質の注入後に圧縮ばねが緩まると、針基はばねの復元力によって注射器内へ押しやられるため、針が安全に処分される。針基の領域内のばねは注射器内へ針基を自動的に後退させる際には効果的であるが、注射器の構造は複雑である。このことは製造コストが高いことを意味する。
【発明の開示】
【発明が解決しようとする課題】
【０００８】
［発明の概要］
本発明の目的は、上記に説明した従来技術の欠点の少なくともいくつかを改善することである。
【課題を解決するための手段】
【０００９】
第１の態様において本発明は、注入すべき物質を収容するバレルと、針を保持する針保持具と、針から注入される物質を射出するためにバレル内で移動可能であるように構成されたプランジャとを備え、プランジャは、第１の部分、第２の部分、及び当該第１の部分と当該第２の部分との間に弾性部材を有し、第１の部分及び第２の部分は、弾性部材を圧縮状態に保持するように解除可能に互いに係止するように構成され、使用の際、プランジャの第１の部分及び針保持具は、物質の射出の後、互いと係合するように構成され、プランジャの第２の部分は、上記係合の後、第１の部分から係止解除されるように構成され、針保持具をバレル内に進ませるように弾性部材を拡張させる注射器を提供している。
【００１０】
プランジャアセンブリ内での弾性部材が圧縮状態でのその格納後に拡張することにより、針を注射器のバレルに引っ込める効果的な手段が提供されることで、怪我が生じる可能性がなく、さらに、注射器の構造が複雑とならない。また、プランジャの作動に加えて、針の後退を手動で行う必要がなく、自動式であるので、使用後に針が後退していない危険性が低いことを意味する。注射器を使用する医療従事者は針を意識的に引っ込める必要がない。
【００１１】
さらに、プランジャ内での弾性部材の位置は、弾性部材がバレル内の物質と接触せず、したがって、物質の汚染を回避することを意味する。さらに、注射器は組み立てが比較的容易であるため、製造コストが減る。
【００１２】
本発明の好適な実施形態では、プランジャの第１の部分は係合手段により針保持具と係合するように構成されている。係合手段は、プランジャの第１の部分に、針保持具の弾性突起と係合するように構成された受け入れ部を備えることが好ましい。好適な実施形態では、針保持具の弾性突起は、注射器のバレルに取付可能な針基内に全体が位置する。針基は、使用中ではないときに、そして、針基が注射器のバレルに取付けられているときに針保持具、特に突起を保護する。さらに、針基は、注射器のバレル内の物質との弾性突起の相互作用を回避し、回避されない場合は物質に気泡が入り込むことになる。突起が弾性ではない場合又は突起が弾性である場合に加えて、受け入れ部を弾性材料から作製してもよい。突起はプランジャの第１の部分にあることができ、受け入れ部は針保持具にあることができる。
【００１３】
代替的な係合手段は、針保持具のソケットとプランジャの第１の部分の対応するボールとを備える。ソケット、又はより好ましくはボールは、これらの部分を互いに係合及び係止するのに十分な弾性を有する。これらの係合手段は構造的に複雑ではないため、注射器の製造及び操作が単純となる。
【００１４】
好ましくは、プランジャの第１及び第２の部分は、係止手段により解除可能に互いに係止するように構成されている。係止手段は、プランジャの第２の部分に突起を有し、突起は、第１の部分の対応する凹部と係合するように構成されて、又はこの逆に構成されていることが好ましい。ここでも同様に、この構造は比較的複雑ではないため、注射器の製造及び操作が容易となる。
【００１５】
プランジャは、針基の後退後は注射器のバレル内に移動不能に収容されるように構成されていることが好ましい。これにより、バレル内の後退位置から針を移動させようとするプランジャの干渉の可能性がなくなる。
【００１６】
本発明の好適な実施形態では、プランジャの第１の部分はプランジャの第２の部分内側に配置される。この構成はスペース効率が高いという利点を有する。
【００１７】
第２の態様において本発明は、注入される物質を収容すると共に、針を保持する針保持具を収容するバレルと、針から注入される物質を射出するためにバレル内で移動可能であるように構成されたプランジャとを備え、プランジャは、第１の部分、第２の部分、及び第１の部分と第２の部分との間に弾性部材を有し、第１の部分及び第２の部分は、弾性部材を圧縮状態に保持するように解除可能に互いに係止するように構成され、使用の際、プランジャの第１の部分は、物質の射出の後、針保持具と係合するように構成され、プランジャの第２の部分は、上記係合の後、第１の部分から係止解除されるように構成され、針保持具をバレル内に進ませるように弾性部材を拡張させる注射器を提供する。
【００１８】
第３の態様において本発明は、注射器から物質を射出するために注射器内で移動可能であるように構成された注射器用のプランジャであって、第１の部分、第２の部分、及び第１の部分と第２の部分との間に弾性部材を備え、第１の部分及び第２の部分は、弾性部材を圧縮状態に保持するように解除可能に互いに係止するように構成され、注射器からの物質の射出の後、注射器の針保持具と係合するように構成され、プランジャの第２の部分は、係合の後、第１の部分から係止解除されるように構成され、針保持具を注射器のバレル内に進ませるように弾性部材を拡張させるプランジャを提供する。
【００１９】
第４の態様において本発明は、使用後に、針が取付られた注射器のバレル内に針を後退させる方法であって、プランジャの２つの部分間の弾性部材を圧縮すると共に圧縮を保持するように当該２つの部分を互いに係止し、注射器の針を保持する針保持具にプランジャの一方の部分を取付け、及び、圧縮された弾性部材が解放され、当該解放により、プランジャの第１の部分と装着されてた針保持具とがバレル内に後退するように、プランジャの２つの部分を係止解除する方法を提供する。
【００２０】
次に、添付の図面を参照しながら本発明の実施形態を例示として説明する。
【発明を実施するための最良の形態】
【００２１】
［実施形態の説明］
以下に説明する本発明は、針先による怪我及び／又は針の再使用を回避するために、使用の後、注射器に装着されている針を注射器のバレル内に後退させる安全注射器である。針は、針の使用中はプランジャ内に圧縮状態で格納されているばねの作用下で注射器のバレル内に後退する。
【００２２】
針は、プランジャがそのストロークの終了時に係合する針保持具によって保持される。プランジャはそのストロークの終了に達するとばねをその圧縮状態から解放することで、ばねの拡張により、針保持具及び針を注射器のバレル内に後退させる。
【００２３】
図１では、注射器１は、薬剤等の注入される物質を収容する中空の細長いバレル２と、当該バレル２内で移動可能な、物質を分注する細長いプランジャ３とを有する。プランジャ３は第１の部分３ａ及び第２の部分３ｂを有し、第１の部分３ａは中空である第２の部分３ｂ内に位置しているため、第１の部分３ａは第２の部分３ｂ内で移動可能である。第１の部分３ａは細長い筒状部材４であり、当該細長い筒状部材４はその直径よりも大きく且つ第２の部分３ｂの内径とほぼ同じである直径の一体ヘッド５を有するが、ヘッド５と第２の部分３ｂの内表面との間に遊隙があることで、ヘッド５が第２の部分３ｂ内での第１の部分３ａの動きを制限することはない。第１の部分３ａはばね６の形状の弾性部材を保持し、第２の部分３ｂはその末端の周りを囲むシール７を有する。シール７は空気及び他の汚染物質が物質に入り込むことを防止する。バレル２内でプランジャ３を移動させるアクチュエータ８は、プランジャの第２の部分３ｂの基端にある。プランジャ３はプランジャ３内での過剰な圧力の蓄積を回避する通気口（図示せず）を有する。
【００２４】
注射器１はその末端に針基９を有し、この針基９内に、針１０がバレル２の端から突き出るように配置されることで、注入用に使用しやすくなっている。
【００２５】
針基９は、バレル２の末端のカラー１１内に内周を囲むように位置付けされる。針基９のうち針１０が拘束される内側部分すなわち針保持具１２は、カラー１１の内側に位置し、針基９のうちルアーテーパーを有する外側部分１３が、カラー１１の外周を囲む。外側部分１３は標準的な長さの係合部を有する。針基９は締り嵌めによってカラー１１の所定位置に保持される。また、バレル２の内側には３つの弾力性のある突起状の保持手段１４があり、これらは針保持具１２の周囲に等間隔で配置され、その軸方向の移動を防止するように針保持具１２を捕捉する。
【００２６】
プランジャ３の第１の部分３ａは、第１の部分３ａの末端から突出する弾性変形可能なボール状のプランジャ係合手段１５を有する。プランジャ係合手段１５は、針基９の針保持具１２のソケット状の保持具係合手段１６に対応する。
【００２７】
プランジャ３の第１の部分３ａはさらに、湾曲凹部状の第１の係止手段１７を有し（図６を参照）、第１の係止手段１７は、プランジャ３の第２の部分３ｂの湾曲面を有する突起状の対応する第２の係止手段１８と係合する。
【００２８】
使用の際、針基９は使用前では初め注射器１の末端から取り外されているため、注射器１内に注入される物質を導入する吸引針（図示せず）の装着が可能となっている。注射器１が物質を充填されると、針基９がバレル２の端に押し嵌めされることによって注射器１に設けられる。バレルのカラー１１は、針基９を容易に嵌められるようにバレル２上にガイドする役割を果たす。
【００２９】
注射器１内の物質を患者に注入するために、針１０を例えば患者の皮膚内に挿入し、プランジャ３をバレル２内で移動させるようにプランジャ３のアクチュエータ８に力を加える。プランジャ３はバレル２内を移動すると、物質が針１０から患者に射出される。
【００３０】
適量の物質を投与した場合、プランジャ３はバレル２に沿ってかなりの距離を移動することになるが、プランジャ３の端とバレル２の端との間には小さな空隙がある。アクチュエータ８に力を加え続けることによって、プランジャ３ｂの第１の部分３ａのボール１５は、針保持具１２のソケット１６に嵌まるように変形することによって針保持具１２と係合する。
【００３１】
ボール１５はソケット１６内に位置するとその内部にしっかり保持されるように拡張する。図２及び図８は、ボール１５とソケット１６の係合後のプランジャ３の位置を示す。ボール１５とソケット１６とが係合しても、プランジャ３の端とバレル２の端との間の空隙は残ったままであることが分かる。
【００３２】
アクチュエータ８に力を加え続けることによって、図３及び図９に図示されるように、プランジャ３の端がバレル２の端と接触するまでバレル３に沿ってプランジャ３の第２の部分３ｂがさらに移動させられる。プランジャ３の第１の部分３ａは針保持具１２との当接によりその地点でそれ以上移動することはできないため、プランジャ３ｂの第２の部分３ｂの突起１８は凹部１７の表面に沿ってカム式に移動することにより凹部１７から解放される。次いで、突起１８は、針保持具１２をバレルの内部の所定位置に保持するバレル２の弾性突起１４に沿って同様に移動し、弾性突起１４を針保持具１２から離間させてカラー１１の内部でそれ以上係止しないようにする（図４及び図１０を参照）。
【００３３】
プランジャ３の第１の部分３ａ及び第２の部分３ｂを互いから係止解除することにより、プランジャ３の第１の部分３ａによって保持されているばね６を拡張させる。その時点で、第１の部分３ａが針保持具１２に結合され、針保持具１２が弾性突起１４によってカラー１１内でもはや捕捉されないため、針保持具１２は、アクチュエータ８の方向にばね６の復元力下でバレル２内を移動する。
【００３４】
針保持具１２はバレル２内のプランジャ３の第２の部分３ｂへ完全に引き寄せられており、針１０がそこから突き出ないようになっていることが、図５及び図１１から分かる。したがって、針先による怪我を回避することができる。バレル２から針保持具１２が移動しないようにするために、アクチュエータ８はそのストロークの終了時点でバレル２の基端の凹部１９に嵌まる。結果としてアクチュエータ８に対するアクセスが制限されることが図５から分かり、プランジャ３をバレル２から引き出すことが不可能であることで、装置の安全性がさらに改善する。
【００３５】
本発明の第２の実施形態を図１２〜図１７に示し、これらの図は同様の参照符号を用いて説明されるが、ただし、特徴は上述の実施形態の特徴とは異なる。
【００３６】
本発明の第２の実施形態は、針保持具１２１の保持具係合手段１６１を有し、保持具係合手段１６１は弾性力のある突起状である。弾性突起１６１は湾曲端を有し、プランジャ３の第１の部分３ａの受け入れ部状の対応するプランジャ係合手段１５１と係合可能である。丸みを帯びた末端２０は受け入れ部１５１の開口を画定している。
【００３７】
針保持具１２１は、針保持具１２１のテーパ壁状の保持手段１４１を有し、この保持手段１４１は、一方向にのみ、すなわちプランジャ３の作動方向とは反対の方向にのみ、針保持具１２１を移動させる。テーパ壁１４１はバレル２の内側のアンダーカット部２１に係止するようになっている。針保持具１２１がプランジャ３の作動方向にアンダーカット部２１を超えて移動することは、テーパ壁１４１がアンダーカット部２１を超えて移動することを防止するため不可能である。しかしながら、テーパ壁１４１のテーパは、針保持具１２１が反対方向に移動するときには針保持具１２１がアンダーカット部２１を超えることができるようになっている。
【００３８】
本発明の第２の実施形態の動作は第１の実施形態の動作と同様である。プランジャ３が針１０を通じて注入される物質を射出すると、上記の第１の実施形態に関して説明したように、プランジャ３のアクチュエータ８に力を加え続けることでプランジャ３が針保持具１２１と係合するようにバレル２に沿ってさらに移動させる。
【００３９】
受け入れ部１５１が弾性突起１６１と接触する際、受け入れ部１５１を画定している丸みを帯びた末端２０が突起１６１を囲うようにカム式に弾性突起１６１の湾曲端に沿って移動する。弾性突起１６１は受け入れ部１５１内に入ると、その弾性により幾分拡張するため、受け入れ部１５１内で係止される。
【００４０】
次に、プランジャ３の第２の部分３ｂの突起１８が第１の部分３ａの凹部１７から外れることで、第１の部分３ａ及び第２の部分３ｂが互いから係止解除される。この係止解除により、ばねが解放され、拡張し、第１の部分３ａが、当該第１の部分３ａに結合された針保持具１２１と共に、プランジャ３の作動方向とは反対の方向にばねの復元力下で移動する。
【００４１】
上記に説明した両方の実施形態の注射器１は、ばねをプランジャ３の第２の部分３ｂに簡単に放り込むことができ、プランジャ３の第１の部分３ａの細長い筒状部材４をばね６に簡単に挿入することができることで、細長い筒状部材４のヘッド５がばね６に寄り掛かり、プランジャの第２の部分３ｂにばねを保持するようになっているという点で、組み立てが比較的容易である。ばね６の圧縮はプランジャ３の第２の部分３ｂに第１の部分３ａを押し込むことによって又はそれとは逆に押し込むことによって達成され、第１の部分３ａ及び第２の部分３ｂが、第２の部分３ｂの突起１８を第１の部分３ａの対応する凹部１７に係止することによって係合することで、ばね６が圧縮状態に保持される。
【００４２】
プランジャ３、バレル２、及び針基９は全て同じ材料から作製される。適した材料としては、医療グレードのポリプロピレン、ポリカーボネート、アセタル樹脂（acetalic resin）、例えば「Ｈｏｓｔａｆｏｒｍ」（登録商標）が挙げられる。
【００４３】
シール７は、ラテックスフリープラスチックゴム等の任意の好適な材料から作製される。針１０はステンレス鋼又は任意の他の適した材料から作製され、ばね６はゴム、プラスチック、又は任意の適した金属、例えば不動態化ステンレス鋼から作製されることができる。
【００４４】
多数の変更を上述の実施形態に行うことができることが当業者には理解される。例えば、図１２〜図１６から、弾性突起１５１が針基９の外側部分１３の端を超えて突出していることが分かる。突起１６１全体を針基９の外側部分１３内に収めることが可能であり、これにより、例えば物質中に気泡を形成することによる、弾性突起１６１による注入される物質への干渉が回避されるであろうし、また、針基９をバレル２に装着するプロセスにおいて、又は、針基９が使用されていない、その前の段階において、弾性突起１６１への損傷を回避しやすくなるであろう。
【００４５】
本発明の第１の実施形態におけるようにボール１５がソケット１６と係合することができるように変形可能であるのではなく、ソケット１６がボール１５を嵌め入れるように変形することができるようにソケット１６を弾性材料からカットすることができる。ボール１５及びソケット１６の位置は、ソケット１６をプランジャ３の第１の部分３ａに配置し、ボール１５を針保持具１２に配置することができるという点で逆にすることもできる。
【００４６】
同様に、本発明の第２の実施形態において、受け入れ部１５１は針保持具１２１に位置することができ、弾性突起１６１はプランジャ３の第１の部分３ａに位置することができる。受け入れ部１５１は、突起１６１が弾性であることに代えて又はそうであることに加えて、弾性材料から形成することができる。
【００４７】
プランジャ係合手段１５は、プランジャの第１の部分３ａと一体である必要はなく、別個の構成要素として形成することができる。同様に、保持具係合手段１６は、針保持具１２と一体である必要はない。
【００４８】
説明した両方の実施形態におけるプランジャ３の第２の部３ｂの第２の係止手段１８は、凹部状とすることができ、プランジャ３の第１の部分３ａの第１の係止手段１７は、突起状とすることができる。
【００４９】
第１の係止手段１７及び第２の係止手段１８は、それぞれプランジャの第１の部分３ａ及び第２の部分３ｂと一体である必要はなく、別個の部品として形成することができる。
【００５０】
同様に、プランジャの第１の部分３ａの細長い筒状部材４のヘッド５は当該部材と一体である必要はなく、別個の構成要素とすることができる。
【００５１】
針１０は、針保持具１２に拘束されるものとして上記に説明されているが、締り嵌めによって針保持具１２内に単に保持することができる。
【００５２】
ばね６は、弾性材料から作製されるチューブ等の任意の他の弾性部材を代替として用いることができる。
【図面の簡単な説明】
【００５３】
【図１】第１の位置にある、本発明の第１の実施形態による注射器の側面図である。
【図２】第２の位置にある、本発明の第１の実施形態による注射器の側面図である。
【図３】第３の位置にある、本発明の第１の実施形態による注射器の側面図である。
【図４】第４の位置にある、本発明の第１の実施形態による注射器の側面図である。
【図５】第５の位置にある、本発明の第１の実施形態による注射器の側面図である。
【図６】図１〜図５の注射器の分解側面図である。
【図７】図１に示す位置での注射器の部分側面図である。
【図８】図２に示す位置での注射器の部分側面図である。
【図９】図３に示す位置での注射器の部分側面図である。
【図１０】図４に示す位置での注射器の部分側面図である。
【図１１】図５に示す位置での注射器の部分側面図である。
【図１２】第１の位置にある、本発明の第２の実施形態による注射器の部分側面図である。
【図１３】第２の位置にある、本発明の第２の実施形態による注射器の部分側面図である。
【図１４】第３の位置にある、本発明の第２の実施形態による注射器の部分側面図である。
【図１５】第４の位置にある、本発明の第２の実施形態による注射器の部分側面図である。
【図１６】第５の位置にある、本発明の第２の実施形態による注射器の部分側面図である。
【図１７】図１２〜図１６の注射器の分解側面図である。
【図１】
2008513069.tif 000003
【図２】
2008513069.tif 000004
【図３】
2008513069.tif 000005
【図４】
2008513069.tif 000006
【図５】
2008513069.tif 000007
【図６】
2008513069.tif 000008
【図７】
2008513069.tif 000009
【図８】
2008513069.tif 000010
【図９】
2008513069.tif 000011
【図１０】
2008513069.tif 000012
【図１１】
2008513069.tif 000013
【図１２】
2008513069.tif 000014
【図１３】
2008513069.tif 000015
【図１４】
2008513069.tif 000016
【図１５】
2008513069.tif 000017
【図１６】
2008513069.tif 000018
【図１７】
2008513069.tif 000019
【国際調査報告】
2008513069.tif 000020
2008513069.tif 000021
2008513069.tif 000022
2008513069.tif 000023
2008513069.tif 000024